(57)【要約】【課題】取付け具に対して背負い帯を上方に向いた状態で取付けることができ、ランドセル本体を背負ったときに重く感じることがなくかつ、痛みを感じる状態が生じないランドセルの背負い帯取付け装置を提供する。【解決手段】ランドセル本体１の背当て部１ａの上部に固定する取付け具１２に、左右一対となる背負い帯結合部材１３を設け、前記背負い帯結合部材１３が、取付け具１２に対する取付け部１４の上部に、内側が背負い帯２の挿通孔１７となる接続環１５を延長状に連成し、この接続環１５の上端部に上方へ突出する羽根板１６を一体に突設して形成され、挿通孔１７に挿入した背負い帯２の端部を折り返して羽根板１６を両面から挟み込む状態で、羽根板１６と背負い帯２の重なり部分を鋲２０で結合する。【選択図】図２
2006000382.tif 000002
【特許請求の範囲】
【請求項１】
ランドセル本体の背当て部の上部に固定する取付け具に、左右一対となる背負い帯結合部材を設け、この結合部材にそれぞれ背負い帯を結合するようにしたランドセルの背負い帯取付け装置において、前記背負い帯結合部材が、取付け具に対する取付け部の上部に、内側が背負い帯の挿通孔となる接続環を延長状に連成し、この接続環の上端部に上方へ突出する羽根板を一体に突設して形成され、挿通孔に挿入した背負い帯の端部を折り返して羽根板を両面から挟み込む状態で、羽根板と背負い帯の重なり部分を結合するようにしたことを特徴とするランドセルの背負い帯取付け装置。
【請求項２】
上記羽根板と背負い帯の重なり部分の結合が、鋲のカシメによって行われていることを特徴とする請求項１に記載のランドセルの背負い帯取付け装置。
【発明の詳細な説明】
【技術分野】
【０００１】
この発明は、ランドセルの背当て部の上部に左右一対の背負い帯を取付けるための取付け装置に関する。
【背景技術】
【０００２】
従来、ランドセルの背当て部の上部に左右一対の背負い帯を取付けるための取付け装置は、ランドセル本体の背当て部の上部に固定するフラットな取付け具に、左右一対となる
筒体を固定し、この筒体に背負い帯結合部材である三角環をそれぞれ取付け、三角環に挿入した背負い帯の上端部を折り返し、三角環の一辺を包み込む状態で、背負い帯の折り返した重なり部分を鋲によるカシメや縫着によって結合するようにした構造になっている。
【発明の開示】
【発明が解決しようとする課題】
【０００３】
ところで、従来の取付け装置は、三角環が筒体への嵌挿部分を中心に回動自在になっているため、背負い帯の上端は三角環と一体に回動自在となり、このため、図６のように、ランドセル本体１を背負うと、背負い帯２は三角環３から直接背中の方向に引き出され、ランドセル本体１の重心が背中から離れて後方に傾いてしまい、ランドセル本体１を重く感じるだけでなく、取付け具の下縁が背中に押し当てられ、痛みを感じる状態が生じるという問題がある。
【０００４】
そこで、この発明の課題は、取付け具に対して背負い帯を上方に向いた状態で取付けることができ、ランドセル本体を背負ったときに、背当て部を背中に密着させ、ランドセル本体の重心を背中に近付けることで重く感じることがないようにでき、かつ、痛みを感じる状態が生じないランドセルの背負い帯取付け装置を提供することにある。
【課題を解決するための手段】
【０００５】
上記のような課題を解決するため、この発明は、ランドセル本体の背当て部の上部に固定する取付け具に、左右一対となる背負い帯結合部材を設け、この結合部材にそれぞれ背負い帯を結合するようにしたランドセルの背負い帯取付け装置において、前記背負い帯結合部材が、取付け具に対する取付け部の上部に、内側が背負い帯の挿通孔となる接続環を延長状に連成し、この接続環の上端部に上方へ突出する羽根板を一体に突設して形成され、挿通孔に挿入した背負い帯の端部を折り返して羽根板を両面から挟み込む状態で、羽根板と背負い帯の重なり部分を結合するようにした構成を採用したものである。
【０００６】
上記羽根板と背負い帯の重なり部分の結合が、鋲のカシメによって行われている構造とすることができる。
【０００７】
ここで、上記背負い帯結合部材は、合成樹脂や金属板を用い、取付け部と接続環及び羽根板が一体に形成され、左右の背負い帯結合部材は、取付け部の下端を取付け具にピンで枢止して所定の幅を左右に揺動自在となり、取付け具との間に設けたばねで互に接近する方向の復帰弾性が付与されている。
【０００８】
また、羽根板と背負い帯の重なり部分を結合する鋲のカシメ数は、一本と二本の何れでもよく、一本の場合はカシメ位置の両側に縫着を併用すればよく、また、二本の場合は、鋲間に座板を重ねてカシメるようにする。
【発明の効果】
【０００９】
この発明によると、背負い帯結合部材における接続環の上端部に上方へ突出する羽根板を一体に突設し、挿通孔に挿入した背負い帯の端部を折り返して羽根板を両面から挟み込む状態で、羽根板と背負い帯の重なり部分を結合するようにしたので、羽根板が上向となり、この羽根板によって取付け具に背負い帯を上方に向いた状態で取付けることができ、背負い帯を上方に向いた状態で取付けることにより、ランドセル本体を背負ったときに、背当て部を背中に密着させることができ、ランドセル本体の重心を背中に近付けることで背負った時に重く感じることがないようにできる。
【００１０】
また、ランドセル本体を背負ったときに、背当て部を背中に密着させることができるので、取付け具の下縁が部分的に背中に当るようなことがなく、痛みを感じる状態が生じない。
【発明を実施するための最良の形態】
【００１１】
以下、この発明の実施の形態を添付図面に基づいて説明する。
【００１２】
図示のように、ランドセルの背負い帯取付け装置１１は、ランドセル本体１の背当て部１ａの上部に固定する取付け具１２と、この取付け具１２に取付けた左右一対となる背負い帯結合部材１３と、取付け具１２の中央上部の位置に取付けた吊り下げ環２３とからなり、前記結合部材１３にそれぞれ背負い帯２の上端を結合するようになっている。
【００１３】
前記取付け具１２は、ベース部材１２ａとカバー部材１２ｂを組み合わせて鋲等で結合したフラットな横長の略楕円形状に形成され、ランドセル本体１の背当て部１ａの上部に鋲を用いて固定され、両側の上部位置に左右一対となる背負い帯結合部材１３が上方に突出するよう取付けられている。
【００１４】
上記した左右両側の背負い帯結合部材１３は、合成樹脂や金属板を用い、上下に長い取付け部１４と、この取付け部１４の上端から連なって相反する外側に張り出す接続環１５及び、接続環１５の上端に設けた羽根板１６を一体成形することによりに形成され、前記接続環１５は、横長となる内側が背負い帯の挿通孔１７となっている。
【００１５】
左右の背負い帯結合部材１３は、取付け具１２のベース部材１２ａとカバー部材１２ｂの間に収まり、その下端を取付け具１２にピン１８で枢止して所定の幅を左右に揺動自在となり、取付け具１２の内部に組み込んだ板ばね１９で互に接近する方向の復帰弾性が付与されている。
【００１６】
上記背負い帯結合部材１３に対する背負い帯２の接続は、図２のように、背負い帯２の上側端部を下向きにして、背負い帯結合部材１３のランドセル本体１に臨む面側から挿通孔１７に挿入し、背負い帯２の端部を上方に折り返すことにより羽根板１６を両面から挟み込み、この羽根板１６と背負い帯２の重なり部分を鋲２０のカシメによって結合することにより、背負い帯２を背負い帯結合部材１３に接続する。
【００１７】
上記羽根板１６は、取付け部１４及び接続環１５と一体成形されているので上向となり、この羽根板１６によって背負い帯結合部材１３に対する背負い帯２の取付け部は上方に向いた状態となり、背負い帯２の上端を上方に向いた状態で取付けることにより、図５のように、ランドセル本体１を背負ったときに、背当て部１ａを背中に密着させることができ、ランドセル本体１の重心を背中に近付けることで背負ったときに重く感じることがないようにできる。
【００１８】
図１と図２の実施形態は、背負い帯結合部材１３に対する背負い帯２の固定に一本の鋲２０を用いる例であり、羽根板１６は幅を背負い帯２よりも狭くして上端側の中央に鋲孔２１を設け、背負い帯２にも折り重ねたとき一致する一対の鋲孔２２を設け、上記挿通孔１７に通した背負い帯２の端部を上方に折り返すことにより羽根板１６を両面から挟み込み、この羽根板１６と背負い帯２の重なり部分を鋲孔２１、２２の部分に打ち込んだ鋲２０でカシメて結合することにより、背負い帯２を背負い帯結合部材１３に接続するものであり、このカシメ固定状態において、背負い帯２の折り返し部分で羽根板１６を挟む両側の重なり位置を縫糸２４で縫合する。
【００１９】
図３と図４の実施形態は、背負い帯結合部材１３に対する背負い帯２の固定に二本の鋲２０を用いる例であり、羽根板１６は幅を背負い帯２と略等しくして上端側の両側に二つの鋲孔２１を設け、背負い帯２にも折り重ねたとき一致する一対の鋲孔２２を両側に設け、上記挿通孔１７に通した背負い帯２の端部を上方に折り返すことにより羽根板１６を両面から挟み込み、この羽根板１６と背負い帯２の重なり部分を、両側鋲孔２１、２２の部分に打ち込んだ二本の鋲２０でカシメて結合することにより、背負い帯２を背負い帯結合部材１３に接続するものであり、このカシメ固定時において、両側の鋲２０間に座板２５を重ねてカシメるようにする。
【００２０】
この発明のランドセルの背負い帯取付け装置１１は、上記のような構成であり、背負い帯結合部材１３における接続環１５の上端部に上方へ突出する羽根板１６を一体に突設したので、挿通孔１７に挿入した背負い帯２の端部を折り返して羽根板１６を両面から挟み込む状態で、羽根板１６と背負い帯２の重なり部分を結合することにより、この羽根板１６によって取付け具１２に背負い帯２を上方に向いた状態で取付けることができ、背負い帯２を上方に向いた状態で取付けることにより、ランドセル本体１を背負ったときに、背当て部１ａを背中に密着させることができ、ランドセル本体１の重心を背中に近付けることで背負った時に重く感じることがないようにできる。
【００２１】
また、背負い帯結合部材１３は、左右に揺動可能になっているので、児童の体格に合わせて背負い帯２が左右に変動することで背負いやすいと共に、ランドセル本体１を背負ったときに、背当て部１ａを背中に密着させることができるので、取付け具１２の下縁が部分的に背中に当るようなことがなく、痛みを感じる状態が生じない。
【図面の簡単な説明】
【００２２】
【図１】ランドセルの背負い帯取付け装置の第１の実施の形態を用いたランドセルの斜視図
【図２】同上の要部を拡大した一部切り欠き正面図
【図３】ランドセルの背負い帯取付け装置の第２の実施の形態を示す要部を拡大した一部切り欠き正面図
【図４】同上の縦断側面図
【図５】この発明のランドセルの背負い帯取付け装置を用いたランドセルの背負い状態を示す側面図
【図６】従来のランドセルの背負い帯取付け装置を用いたランドセルの背負い状態を示す側面図
【符号の説明】
【００２３】
１        ランドセル本体
２        背負い帯
１１      背負い帯取付け装置
１２      取付け具
１３      背負い帯結合部材
１４      取付け部
１５      接続環
１６      羽根板
１７      挿通孔
１８      ピン
１９      板ばね
２０      鋲
２１      鋲孔
２２      鋲孔
２３      吊り下げ環
【図１】
2006000382.tif 000003
【図２】
2006000382.tif 000004
【図３】
2006000382.tif 000005
【図４】
2006000382.tif 000006
【図５】
2006000382.tif 000007
【図６】
2006000382.tif 000008